(57)【要約】【課題】  モバイル環境でユーザーが様々な撮影テーマに合う動画を簡単に撮影して効果的に編集することができる動画撮影編集装置および方法を提供する。【解決手段】  本発明の一実施形態による動画テーマ撮影装置は、動画の撮影の時にテーマ種類を選択するための命令の入力を受けるテーマ選択部と、前記テーマ選択部で選択されるテーマの種類によって提供されるストーリーボードの各場面のクリップを選択するための命令の入力を受ける場面選択部、および前記場面選択部から選択される場面選択部で選択される各場面クリップに対する該当テンプレートが撮影画面に提供される状態で撮影をする撮影部とを含む。【選択図】      図１
2009141959.tif 000002
【特許請求の範囲】
【請求項１】
動画の撮影時にテーマ種類を選択するための命令の入力を受けるテーマ選択部と、
前記テーマ選択部で選択されるテーマの種類によって提供されるストーリーボードの各場面のクリップを選択するための命令の入力を受ける場面選択部、および
前記場面選択部で選択される各場面クリップに対する該当テンプレートが撮影画面に提供される状態で撮影をする撮影部と、を含む、動画テーマ撮影装置。
【請求項２】
前記場面クリップは、
前記ストーリーボードの冒頭場面を構成するイントロ（ｉｎｔｒｏ）場面クリップと、
前記ストーリーボードの様々な撮影場面を構成する撮影場面クリップ、および
前記ストーリーボードの結尾場面を構成するアウトロ（ｏｕｔｒｏ）場面クリップと、を含む、請求項１に記載の動画テーマ撮影装置。
【請求項３】
前記ストーリーボードの各場面クリップに対する所定オプションを設定するための命令の入力を受けるオプション部をさらに含む、請求項１に記載の動画テーマ撮影装置。
【請求項４】
前記オプション部は、前記ストーリーボードの各場面クリップに対する該当テンプレートを編集するための命令の入力を受ける編集部を含む、請求項３に記載の動画テーマ撮影装置。
【請求項５】
前記編集部は、前記該当テンプレートの背景フレーム、字幕、サウンド、ビデオ、アイテム効果を編集する、請求項４に記載の動画テーマ撮影装置。
【請求項６】
前記オプション部は、ユーザーが直接新しいテーマテンプレートを生成するための命令の入力を受ける生成部を含む、請求項３に記載の動画テーマ撮影装置。
【請求項７】
前記生成部は、前記ストーリーボードに場面クリップを追加して、前記追加される場面クリップに対する該当テンプレートの効果を編集して新しいテーマテンプレートで保存する、請求項６に記載の動画撮影装置。
【請求項８】
前記オプション部は、サービス提供者からインターネットを通じて新しいテーマテンプレートをダウンロードするための命令の入力を受けるダウンロード部を含む、請求項３に記載の動画テーマ撮影装置。
【請求項９】
ユーザーの望む動画撮影のテーマ種類を選択する段階と、
前記選択されるテーマの種類によって複数の場面クリップを含むストーリーボードを提供する段階と、
前記ストーリーボードの各場面クリップを選択すると、各場面クリップに対する該当テンプレートを撮影画面に提供する段階、および
前記各場面クリップに対する該当テンプレートが提供される状態で撮影をする段階と、を含む、動画テーマ撮影方法。
【請求項１０】
前記テーマ選択段階は、画面分割、誕生日、記念日、旅行、育児、一般撮影、マイテーマ、ニュース、ドラマ、スポーツテーマのうち少なくとも一つを選択する、請求項９に記載の動画テーマ撮影方法。
【請求項１１】
前記ストーリーボードの各場面クリップを選択する段階は、前記ストーリーボードでイントロ場面クリップ、様々な撮影場面クリップおよびアウトロ場面クリップを順次に選択する、請求項９に記載の動画テーマ撮影方法。
【請求項１２】
前記ストーリーボードの各場面クリップに対する該当テンプレートを編集する段階をさらに含む、動画請求項９に記載のテーマ撮影方法。
【請求項１３】
前記テンプレート編集段階は、前記該当テンプレートの背景フレーム、字幕、サウンド、ビデオ、アイテム効果を編集する、請求項１２に記載の動画テーマ撮影方法。
【請求項１４】
ユーザーが直接新しいテーマテンプレートを生成する段階をさらに含む、請求項９に記載の動画テーマ撮影方法。
【請求項１５】
前記テーマ生成段階は、
動画撮影のテーマ種類から「新しいテーマを作成」を選択する段階と、
前記ストーリーボードの場面クリップ追加を選択する段階と、
前記追加される場面クリップのタイプを選択する段階と、
前記選択される場面タイプに対する該当テンプレートの効果を設定する段階と、
前記テンプレートの効果が設定された場面クリップを保存する段階と、
前記ストーリーボードの場面クリップをさらに追加選択時追加される場面クリップのタイプを選択して、場面クリップ追加選択がないとき、全体テンプレートを保存する段階、および
テーマの名前を指定して新しいテーマテンプレートを生成する段階と、を含む、請求項１４に記載の動画テーマ撮影方法。
【請求項１６】
サービス提供者からインターネットを通じて新しいテーマテンプレートをダウンロードする段階をさらに含む、請求項９に記載の動画テーマ撮影方法。
【請求項１７】
モバイル機器に保存された動画イメージファイルを開いて、該当ファイルの場面クリップをストーリーボードにストーリー順に配列するストーリーモード、および
前記ストーリーモードで選択される場面クリップに対する所定のトリミング編集をするトリミングモードと、を含む、動画編集装置。
【請求項１８】
前記ストーリーモードは、動画イメージファイルの開く、分割、トランジションの効果を編集することが可能である、請求項１７に記載の動画編集装置。
【請求項１９】
前記ストーリーモードは、前記ストーリーボードに配列される様々な場面クリップを順につなげて一つの動画に編集する、請求項１７に記載の動画編集装置。
【請求項２０】
前記ストーリーモードは、一つの動画を複数の場面クリップに分割して、分割される複数の場面クリップの間にトランジションクリップを挿入して一つの動画に編集する、請求項１９に記載の動画編集装置。
【請求項２１】
前記トリミングモードは、前記ストーリーモードから選択される複数の場面クリップに対するビデオ、テキスト、アイテム挿入などの効果編集が可能な請求項１７に記載の動画編集装置。
【請求項２２】
ストーリーモードで動画イメージファイルを開く段階と、
前記開いた動画イメージファイルの場面クリップをストーリー順にストーリーボードに配列する段階、および
前記ストーリーボードに配列される複数の場面クリップを順につなげて一つの動画に編集する段階と、を含む、動画編集方法。
【請求項２３】
前記一つの動画を複数の場面クリップに分割する段階と、
前記分割される複数の場面クリップの間にトランジションクリップを挿入して編集する段階と、をさらに含む、請求項２２に記載の動画編集方法。
【請求項２４】
前記ストーリーモードで場面クリップを選択してトリミングモードに転換する段階、および
前記トリミングモードで前記選択される場面クリップに対するビデオ、テキスト、アイテム挿入などの効果編集をする段階と、をさらに含む、請求項２２に記載の動画編集方法。
【発明の詳細な説明】
【技術分野】
【０００１】
本発明は、動画撮影編集装置および方法に関するものであって、より詳細にはモバイル環境でユーザーが動画を簡単に撮影して編集できる動画撮影編集装置および方法に関するものである。
【背景技術】
【０００２】
一般的に携帯電話などのようなモバイル機器でスチール写真を撮影するとき、背景フレームを選択される後写真を撮影する。前記背景フレームが撮影画面のレイヤーに表示され中央にマスクされた領域にユーザーが直接撮影した写真が配列されて二つの映像が合成された形態で一つの映像が作られる。
【０００３】
最近動画ＵＣＣ（Ｕｓｅｒ  Ｃｒｅａｔｅｄ  Ｃｏｎｔｅｎｔｓ）のトレンドを分析してみると、ドラマやコメディーなどの放送パロディー、運動講習、料理講習など、一定のパターンがある動画ＵＣＣが多く製作されているが、動画の撮影時、単に背景フレームを挿入することだけではより自然な動画を得ることができない。
【０００４】
このような特定のテーマがある動画はテーマに合うテンプレートをあらかじめ指定しておけば、動画撮影に慣れていないユーザーでも面白い動画ＵＣＣを簡単に製作することができるであろう。
【０００５】
一方、過去にはデジタルカメラやビデオカメラで撮影した動画をＰＣにダウンロードして編集した後、ウェブに上げて共有していたが、最近には動画ＵＣＣが拡散されるにつれ、携帯電話などのモバイル機器で撮影された映像をモバイル機器で直接編集して他のユーザーと共有しようとするユーザーが増えている。
【０００６】
現在、一部のスマートフォンの場合、フォンで撮った動画を編集できる動画編集機を提供しているが、機能が制限されおり、またその使用方法が不便であるためユーザーに満足を与えることは難しい。
【０００７】
例えば、三星スマートフォンＭ４５００には動画編集機アプリケーションが内蔵されているが、ユーザーがこのアプリケーションを用いて動画の効果を編集する場合、５〜６回の操作段階を経なければならないため、動画の編集が容易ではないという問題がある。
【０００８】
これに関連し、「移動端末の動画ファイル編集方法および装置（韓国特許登録第０６５２７６３号）」は、移動端末機で動画を編集できる方法を記述している。しかし、前記文献は、動画に画面転換の効果を与え華麗に編集する方法ではなく、単純に動画の長さ調節の機能のみを記述しており、移動端末機で撮影した動画を加工するという意味が少ない。
【０００９】
他の例としては、Ａｄｏｂｅ  ＰｒｅｍｉｒｅなどのようなＰＣ動画編集アプリケーションはＰＣのような大きなディスプレイとマウスインターフェースが存在する環境では適しているが、モバイル機器のような限定されたディスプレイとインプット環境では適してない方式である。
【００１０】
さらに、Ｊｕｍｐｃｕｔなどのようなウェブ動画編集アプリケーションは、ＵＩ構成において、プレビュー画面、タイムライン、ストーリーボードパネル、効果パネルなどが平面的に配列されており、モバイル機器のような限定されたディスプレイでは適していないＵＩ方式である。
【特許文献１】大韓民国特許公開第２００６−０１６１３５号公報
【特許文献２】日本国特許公開第２００６−００５７４２号公報
【発明の開示】
【発明が解決しようとする課題】
【００１１】
本発明は、前記のような点を解決するために案出されたものであって、モバイル環境でユーザーが様々な撮影テーマに合う動画を簡単に撮影できる動画テーマ撮影装置を提供することにその目的がある。
【００１２】
本発明の他の目的は、動画テーマ撮影方法を提供することにある。
【００１３】
本発明のその他の目的は、モバイル環境で撮影した動画を簡単で効果的に編集できる動画編集装置を提供することにある。
【００１４】
本発明の別の目的は、動画編集方法を提供することにある。
【００１５】
本発明の目的は、以上で言及した目的に制限されず、言及されていないまた他の目的は次の記載から当業者に明確に理解されるであろう。
【課題を解決するための手段】
【００１６】
前記目的を達成するためになされた本発明の一実施形態による動画テーマ撮影装置は、動画の撮影時にテーマ種類を選択するための命令の入力を受けるテーマ選択部と、前記テーマ選択部で選択されるテーマの種類によって提供されるストーリーボードの各場面のクリップを選択するための命令の入力を受ける場面選択部、および前記場面選択部で選択される各場面クリップに対する該当テンプレートが撮影画面に提供される状態で撮影をする撮影部と、を含む。
【００１７】
前記他の目的を達成するためになされた本発明の一実施形態による動画テーマ撮影方法は、ユーザーの望む動画撮影のテーマ種類を選択する段階と、前記選択されるテーマの種類によって複数の場面クリップを含むストーリーボードを提供する段階と、前記ストーリーボードの各場面クリップを選択すると、各場面クリップに対する該当テンプレートを撮影画面に提供する段階、および前記各場面クリップに対する該当テンプレートが提供される状態で撮影をする段階と、を含む。
【００１８】
前記その他の目的を達成するためになされた本発明の実施形態による動画編集装置は、モバイル機器に保存された動画イメージファイルを開いて、該当ファイルの場面クリップをストーリーボードにストーリー順に配列するストーリーモード、および前記ストーリーモードで選択される場面クリップに対する所定のトリミング編集をするトリミングモードと、を含む。
【００１９】
前記別の目的を達成するためになされた本発明の他の実施形態による動画編集方法は、ストーリーモードで動画イメージファイルを開く段階と、前記開いた動画イメージファイルの場面クリップをストーリー順にストーリーボードに配列する段階、および前記ストーリーボードに配列される複数の場面クリップを順につなげて一つの動画に編集する段階と、を含む。
【００２０】
その他実施形態の具体的な事項は詳細な説明および図に含まれている。
【発明の効果】
【００２１】
前記したような本発明の動画の撮影、編集装置および方法によると、次のような効果が一つあるいはそれ以上ある。
【００２２】
最初に、モバイル環境でテーマに合うテンプレートをユーザーがあらかじめ生成したりサービス提供者からダウンロードして、動画ＵＣＣを簡単に撮影して編集できるテーマ撮影のユーザーインターフェースを提供したりすることによって、編集に慣れていないユーザーが簡単に動画を製作してこれを共有することができる。
【００２３】
次に、モバイル環境で動画の編集インターフェースを用いて小さい画面のモバイル機器上で撮影した動画を簡単で効果的に編集して既存の複雑な編集段階を減らすことによって動画ＵＣＣを簡単に製作することができる。
【００２４】
本発明の効果は以上で言及した効果に制限されず、言及されていないまた他の効果は請求範囲の記載から当業者に明確に理解されるであろう。
【発明を実施するための最良の形態】
【００２５】
本発明の利点および特徴、並べにそれらを達成する方法は、添付する図面と共に後述する実施形態を参照することにより明確になる。しかし、本発明の目的は以下で開示される実施形態に限定されず、相異なる多様な形態によっても達成可能である。したがって、以下の実施形態は単に、本発明の開示を完全になるように、本発明が属する技術分野で通常の知識を有する者に対して発明の範疇を完全に知らせるために提供されるものであり、本発明は、請求項の範疇によってのみ定義される。なお、明細書全体にかけて、同一の参照符号は同一の構成要素を指すものとする。
【００２６】
以下、添付された図面を参照し、本発明の望ましい実施形態による動画の撮影編集装置および方法について詳細に説明する。なお、本発明を説明することにおいて、関連する公知の機能、構成は、本発明に解釈されるのを避けるために、説明を省略する。
【００２７】
図１は、本発明の一実施形態による動画テーマ撮影装置の構成を概略的に示す図である。
【００２８】
図１に示す通り、本発明の一実施形態による動画テーマ撮影装置はテーマ選択部１０、場面選択部２０、撮影部３０およびオプション部４０などを含む。ここで、本発明の動画テーマ撮影装置は携帯電話、デジタルカメラ、ビデオカメラなどのようなモバイル機器に適用される。
【００２９】
テーマ選択部１０は、装置の上、下  ボタン（未図示）を用いて、ユーザーが望む動画撮影のテーマ１１種類を選択するための命令の入力を受ける。本実施形態において、テーマ１１の種類は画面分割、誕生日、記念日、旅行、育児、一般撮影、マイテーマ、ニュース、ドラマ、スポーツのテーマのうち少なくとも一つを含む構成を例示したが、ユーザーの希望により多様なテーマを含み得る。
【００３０】
場面選択部２０は、テーマ選択部１０で選択されるテーマ１１の種類によって提供されるストーリーボード２１の各場面（ｓｃｅｎｅ）クリップを選択するための命令の入力を受ける。
【００３１】
前記場面クリップは、ストーリーボード２１の冒頭場面を構成するイントロ（ｉｎｔｒｏ）場面クリップ（ＩＮ）、ストーリーボード２１の様々な撮影場面を構成する撮影場面クリップ（Ｓ１、Ｓ２、Ｓ３、…）、およびストーリーボード２１の結尾場面を構成するアウトロ（ｏｕｔｒｏ）場面クリップ（ＯＵＴ）を含む。
【００３２】
撮影部３０は、場面選択部２０で選択される各場面クリップに対する該当テンプレートが撮影画面１に提供される状態で撮影のための命令の入力を受ける。
【００３３】
オプション部４０は、ストーリーボード２１の各場面クリップに対する所定のオプションを設定するための命令の入力を受ける。
【００３４】
本実施形態で、オプション部４０は、編集部４１、生成部４２、保存部４３、削除部４４、ダウンロード部４５、背景選択部４６などを含む構成を例示したが、その他の多様なオプションを設定することができる。
【００３５】
編集部４１は、ストーリーボード２１の各場面クリップに対する該当テンプレートの背景フレーム、字幕、サウンド、ビデオ、アイテム効果などを編集するための命令の入力を受ける。
【００３６】
生成部４２は、ユーザーが直接新しいテーマテンプレートを生成するための命令を受ける。より詳細には、生成部４２はストーリーボード２１に場面クリップを追加して、前記追加される場面クリップに対する該当テンプレートの効果を編集して新しいテーマテンプレートとして保存する。
【００３７】
ダウンロード部４５は、サービス提供者からインターネットを通じて新しいテーマテンプレートをダウンロードするための命令の入力を受ける。
【００３８】
以下、図２Ａから図５を参照して本発明の一実施形態による動画テーマ撮影方法を具体的に説明する。
【００３９】
図２Ａ〜図２Ｃは、本発明の動画テーマ撮影方法による画面を順次に示す図であり、図３は、本発明の動画テーマ撮影方法を説明するためのフローチャートである。
【００４０】
本発明の一実施形態による動画テーマ撮影方法は、先に、図２Ａに示す通り、テーマ選択部１０で上、下ボタンを用いてユーザーの望む動画撮影のテーマ種類、例えば、前記テーマ選択は画面分割、誕生日、記念日、旅行、育児、一般撮影、マイテーマ、ニュース、ドラマ、スポーツのテーマのうちいずれか一つを選択する（Ｓ１０１）。本実施形態ではテーマ選択部１０でニューステーマを選択する例を説明する。
【００４１】
次に、前記選択されるテーマの種類によって複数の場面クリップを含むストーリーボード２１を提供する（Ｓ１０２）。
【００４２】
その後、ストーリーボード２１で各場面クリップが順次に選択されれば（Ｓ１０３）各場面クリップに対して指定されているテンプレートを順次に撮影画面１に提供する。このとき、撮影画面（１）には前記テンプレートに適用できる効果に対するメニューが自動に提供される。例えば、テンプレートの背景フレームを編集できる背景フレーム効果メニュー、テンプレートにビデオを挿入／削除できるビデオ効果メニュー、テンプレートに背景サウンドを挿入／削除できるサウンド効果メニュー、テンプレートにテキストを挿入／修正／削除できるテキスト効果メニュー、テンプレートにアイテムを追加／削除できるアイテム効果メニューなどを提供することができる（Ｓ１０４）。
【００４３】
図２Ｂは、ストーリーボード２１で最初の場面クリップ（Ｓ１）が選択される場合、選択された場面クリップ（Ｓ１）に指定されているテンプレートと前記テンプレートの効果メニューとして、ビデオ、サウンド、テキスト、アイテムなど効果メニューが撮影画面に自動に配列されていることを示す。
【００４４】
このようにテンプレートが撮影画面（１）に提供された状態で撮影ボタンを押すと、ストーリーボード２１の最初の場面クリップ（Ｓ１）に該当する映像を撮影して（Ｓ１０５）保存する（Ｓ１０６）。その後、該当テンプレートに対して背景フレーム、字幕、背景サウンド、ビデオ、アイテムなどの効果を編集したり、撮影した場面を編集したりすることができる。
【００４５】
図面には示していないが、イントロ場面クリップ（ＩＮ）およびアウトロ場面クリップ（ＯＵＴ）を選択する場合、編集モードで該当テンプレート上にタイトルやエンディングなどを入力することができる。
【００４６】
各場面クリップに対する撮影をしてから撮影した各場面クリップを編集したい場合（Ｓ１０７，はい）、ユーザーは先ず、図２Ｃに示す通り、オプション部４０で編集部４１を選択する。そうすると、現在選択された場面クリップで編集モードに転換されて、該当テンプレートに対して背景フレーム、字幕、サウンド、ビデオ、アイテムなどの効果を編集することができる（Ｓ１０８）。
【００４７】
場面クリップを編集した後には再び撮影モードに転換する（Ｓ１０９）。撮影モードで次の場面がある場合（Ｓ１１０）、次の場面クリップを選択して（Ｓ１１１）、最初の場面撮影と同じ方法で次の場面を撮影および編集をする。撮影モードで次の場面がない場合には、撮影全体を保存して（Ｓ１１２）、動画テーマ撮影を終了する（Ｓ１１３）。
【００４８】
図４Ａ〜図４Ｃは、本発明の動画テーマ生成方法による画面を順次に示す図であり、図５は本発明の動画テーマ生成方法を説明するためのフローチャートである。
【００４９】
図４Ａ〜図４Ｃ、および図５に示す通り、本発明の動画テーマ撮影方法はユーザーが直接新しいテーマテンプレートを生成することができる。
【００５０】
より詳細には先に、図４Ａに示す通り、テーマ選択部１０で「新しいテーマを作成」を選択する（Ｓ２０１）。
【００５１】
次に、ストーリーボード２１の生成部４２を選択する（Ｓ２０２）。
【００５２】
その後、前記追加された場面クリップのタイプを選択する（Ｓ２０３）。例えば、イントロ場面、アウトロ場面、撮影場面などの場面タイプのうち１つを選択する。図４Ａは追加しようとする場面クリップのタイプであって、イントロ場面が選択された場合を示している。このように、イントロ場面またはアウトロ場面が選択された場合には（Ｓ２０４，はい）、該当場面に合う表示テンプレートを選択することができる。また、背景に写真や動画を挿入した後編集することもできる（Ｓ２０５）。
【００５３】
次に、前記テンプレートの効果設定が終われば該当場面クリップを保存する（Ｓ２０７）。
【００５４】
場面クリップを保存した後（Ｓ２０７）、生成部４２がさらに選択されない場合（Ｓ２０８，いいえ）、言い換えると、場面クリップをさらに追加しない場合には、全体テンプレートを保存する（Ｓ２０９）。
【００５５】
仮に、場面クリップを保存した後（Ｓ２０７）、ストーリーボード２１に場面クリップをさらに追加する場合には（Ｓ２０８），図４Ｂに示す通り、生成部４２を選択した後、追加しようとする場面クリップのタイプ、例えば、「撮影場面」を選択することができる（Ｓ２０３）。このように追加しようとする場面クリップのタイプに撮影場面が選択された場合には（Ｓ２０４，いいえ）、該当場面に合う背景フレーム、字幕、背景サウンド、ビデオ、アイテムなどの効果を設定することができる（Ｓ２０６）。
【００５６】
次に、図４Ｃに示す通り、テーマの名を指定して（Ｓ２１０）新しいテーマテンプレート生成を終了する（Ｓ２１１）。
【００５７】
一方、オプション部４０でダウンロード部４５を選択すると、インターネットに接続してサービス提供者から新しいテーマテンプレートをダウンロードすることができる。ダウンロードしたテーマテンプレートはテーマ選択部１０でテーマ種類を変更するときに新しいテーマメニューに表示される。
【００５８】
図６は、本発明の他の実施形態による動画編集装置の構成を概ね示す図である
【００５９】
図６に示す通り、本発明の他の実施形態による動画編集装置はストーリーモード１００およびトリミングモード２００などを含む。ここで、本発明の動画編集装置は携帯電話、デジタルカメラ、ビデオカメラなどのようなモバイル機器に適用される。
【００６０】
ストーリーモード１００は、動画編集装置に保存された動画イメージファイルを開いて、該当ファイルの場面クリップをストーリーボード１１１にストーリー順に配列する。
【００６１】
ストーリーモード１００は、場面クリップ編集ウィンドウ１１０と道具パネル１２０を含む。
【００６２】
前記場面クリップ編集ウィンドウ１１０は、複数の場面クリップが配列され、道具パネル１２０は、動画イメージファイルを開く、分割、トランジションなどの機能を含みうる。
【００６３】
ストーリーモード１００は、ストーリーボード１１１に配列される複数の場面クリップを順につなげて一つの動画で編集する。また、ストーリーモード１００は、一つの動画を複数の場面クリップに分割して、分割される複数の場面クリップの間にトランジションクリップを挿入して一つの動画で編集する。
【００６４】
トリミングモード２００は、ストーリーモード１００で選択される場面クリップに対する所定のトリミング編集をする。
【００６５】
トリミングモード２００は、動画プレビューウィンドウ２１０とタイムライン２２０が表示され、ストーリーモード１００で選択される複数の場面クリップに対するビデオ、テキスト、アイテム挿入の効果編集のための道具パネル２３０を含む。
【００６６】
以下、図７〜図９を参照して本発明の他の実施形態による動画編集方法を具体的に説明する。
【００６７】
図７は、本発明の動画編集方法による複数の場面を繋いで付けて一つの動画に編集する画面を順次に示す図である。
【００６８】
先ず、ストーリーモード１００で「開く」ボタンをクリックして、動画イメージファイルを開く。
【００６９】
次に、前記開いた動画イメージファイルの場面クリップをストーリー順にストーリーボード１１１に配列する。
【００７０】
さらに、プレビューをすれば、ストーリーボード１１１に配列される複数の場面クリップが順に連結されて一つの動画ストーリーとなる。
【００７１】
図８は、本発明の動画編集方法による一つの動画を複数の場面に分割して、場面の間にトランジションを挿入する画面を順次に示す図である。
【００７２】
図８に示す通り、本発明の動画編集方法は、先ず、ストーリーモード１００で呼び出しした一つの動画イメージファイルを、分割をクリックして複数の場面クリップに分割する。この時分割された複数の場面クリップをストーリーボード１１１上でダブルクリックして内容を見つつ必要な場面クリップのみを残して他は削除する。
【００７３】
次に、トランジションをクリックして複数の場面クリップの間にトランジションクリップを挿入した後編集された動画をプレビューする。
【００７４】
図９は、本発明の動画編集方法によるストーリーモードでトリミングモードに転換した後、トリミングモードで場面に対する効果編集をする画面を順次に示す図である。
【００７５】
本発明の動画編集方法は、先に、図９Ａに示す通り、ストーリーモード１００で場面クリップ一つを選択するとトリミングモード２００に転換される。トリミングモード２００では選択された場面クリップが大きく拡大されつつ、リアルタイムプレーが可能である。トリミングモード２００で場面クリップを再びダブルクリックすればストーリーモード１００に転換される。
【００７６】
次に、トリミングモード２００で該当場面クリップをプレーしてビデオ、テキスト、アイテム挿入などの効果編集をする。
【００７７】
例えば、図９Ｂに示す通り、トリミングモード２００で場面クリップをプレーして望む位置で一時停止し、アイテムパネルを開いて、アイテムを場面上にドラッグアンドドラッグすると、選択したアイコンがその位置に挿入される。
【００７８】
アイテムを挿入して場面クリップを再びプレーして望む位置で一時停止し、以前挿入したアイテムをゴミ箱でドラッグアンドドラッグをすると、タイムライン２２０上の現在位置でアイテムが消える。
【００７９】
すなわち、２分〜２分３０秒区間にハートアイテムを挿入したければ、場面クリップをプレーして２分区間で一時停止し、以前挿入したハートアイテムをゴミ箱にドラッグアンドドラッグする。
【００８０】
ビデオ効果やテキスト挿入も前記のような方法でリアルタイムで編集することができる。
【００８１】
以上添付された図面を参照し、本発明の実施形態について説明したが、本発明が属する技術分野における通常の知識を有する者は、本発明を、その技術的思想や必須の特徴を変更しない範囲で、他の具体的な形態において実施されうるということを理解することができる。したがって、上記実施形態はすべての面で例示的なものであり、限定的でないものではないと理解しなければならない。本発明の範囲は前記詳細な説明よりは後述する特許請求の範囲によって示され、特許請求の範囲の意味および範囲そしてその均等概念から導き出されるすべての変更または変形された形態が本発明の範囲に含まれると解釈されなければならない。
【図面の簡単な説明】
【００８２】
【図１】本発明の一実施形態による動画テーマ撮影装置の構成を概略的に示す図である。
【図２Ａ】本発明の動画テーマ撮影方法による画面を順次に示す図である。
【図２Ｂ】本発明の動画テーマ撮影方法による画面を順次に示す図である。
【図２Ｃ】本発明の動画テーマ撮影方法による画面を順次に示す図である。
【図３】本発明の動画テーマ撮影方法を説明するためのフローチャートである。
【図４Ａ】本発明の動画テーマ生成方法による画面を順次に示す図である。
【図４Ｂ】本発明の動画テーマ生成方法による画面を順次に示す図である。
【図４Ｃ】本発明の動画テーマ生成方法による画面を順次に示す図である。
【図５】本発明の動画テーマ生成方法を説明するためのフローチャートである。
【図６】本発明の他の実施形態による動画編集装置の構成を概略的に示す図である。
【図７】本発明の動画編集方法による複数の場面をつなげて一つの動画に編集する画面を順次に示す図である。
【図８】本発明の動画編集方法による一つの動画を複数の場面に分割して場面の間にトランジションを挿入して編集する画面を順次に示す図である。
【図９Ａ】本発明の動画編集方法によるストーリーモードからトリミングモードに転換した後、トリミングモードで場面に対する効果の編集をする画面を順次に示す図である。
【図９Ｂ】本発明の動画編集方法によるストーリーモードからトリミングモードに転換した後、トリミングモードで場面に対する効果の編集をする画面を順次に示す図である。
【符号の説明】
【００８３】
１０    テーマ選択部
１１    テーマ
２０    場面選択部
２１    ストーリーボード
３０    撮影部
４０    オプション部
４１    編集部
４２    生成部
４３    保存部
４４    制御部
４５    ダウンロード部
４６    背景選択部
１００  ストーリーモード
１１０  場面クリップ編集ウィンドウ
１１１  ストーリーボード
１２０  道具パネル
２００  トリミングモード
２１０  動画プレビューウィンドウ
２２０  タイムライン
２３０  道具パネル
【図１】
2009141959.tif 000003
【図２Ａ】
2009141959.tif 000004
【図３】
2009141959.tif 000005
【図４Ａ】
2009141959.tif 000006
【図４Ｂ】
2009141959.tif 000007
【図４Ｃ】
2009141959.tif 000008
【図５】
2009141959.tif 000009
【図７】
2009141959.tif 000010
【図８】
2009141959.tif 000011
【図２Ｂ】
2009141959.tif 000012
【図２Ｃ】
2009141959.tif 000013
【図６】
2009141959.tif 000014
【図９Ａ】
2009141959.tif 000015
【図９Ｂ】
2009141959.tif 000016